(57)【要約】  空気調和機（１００）は、ファン（５）と、第１熱交換部（７）とを備える。ファン（５）は、空気を吸い込み、吸い込んだ空気を、吹出口（１１）を通して外部に送り出す。第１熱交換部（７）は、ファン（５）よりも、空気の流れの下流に位置し、熱交換を行う。第１熱交換部（７）は、複数の扁平管（２１）と、第１ヘッダ管（２３Ｌ）と、第２ヘッダ管（２３Ｒ）とを含む。複数の扁平管（２１）の各々が第１方向（Ｄ１）に沿って延びており、複数の扁平管（２１）が第１方向（Ｄ１）に直交する第２方向（Ｄ２）に沿って並んでいる。第１ヘッダ管（２３Ｌ）は、複数の扁平管（２１）の第１方向（Ｄ１）の一端に接続され、所定方向（ＰＤ）に沿って延びる。第２ヘッダ管（２３Ｒ）は、複数の扁平管（２１）の第１方向（Ｄ１）の他端に接続され、所定方向（ＰＤ）に沿って延びる。第１熱交換部（７）は、吹出口（１１）を向いている。
2019159402.tif 000002
【特許請求の範囲】
【請求項１】
空気を吸い込み、吸い込んだ前記空気を、吹出口を通して外部に送り出すファンと、
前記ファンよりも、前記空気の流れの下流に位置し、熱交換を行う第１熱交換部と
を備え、
前記第１熱交換部は、
各々が第１方向に沿って延びており、前記第１方向に直交する第２方向に沿って並んでいる複数の扁平管と、
前記複数の扁平管の前記第１方向の一端に接続され、前記第１方向に直交する所定方向に沿って延びる第１ヘッダ管と、
前記複数の扁平管の前記第１方向の他端に接続され、前記所定方向に沿って延びる第２ヘッダ管と
を含み、
前記第１熱交換部は、前記吹出口を向いている、空気調和機。
【請求項２】
前記第１方向は、水平方向と実質的に平行である、請求項１に記載の空気調和機。
【請求項３】
前記第１方向から前記扁平管を見たときに、前記扁平管は、水平方向に対して傾斜している、請求項２に記載の空気調和機。
【請求項４】
前記吹出口に面するように配置されるパネルをさらに備え、
前記第１熱交換部は、前記パネルに向いており、
暖房運転時に、前記扁平管及び前記パネルを前記第１方向から見たときに、前記扁平管の鉛直下方向に対する傾斜角は、前記パネルの鉛直下方向に対する傾斜角よりも大きい、請求項２又は請求項３に記載の空気調和機。
【請求項５】
前記吹出口に面するように配置されるパネルをさらに備え、
前記第１熱交換部は、前記パネルを向いており、
冷房運転時に、前記パネルは、前記第１熱交換部を通って前記吹出口から送り出された前記空気を前記パネルの上方に送り出す、請求項２から請求項４のいずれか１項に記載の空気調和機。
【請求項６】
前記ファンよりも、前記空気の流れの下流に位置し、熱交換を行う第２熱交換部をさらに備え、
前記第２熱交換部は、
各々が第３方向に沿って延びており、前記第３方向に直交する第４方向に沿って並んでいる平板状の複数のフィンと、
前記複数のフィンを前記第４方向に貫通し、蛇行している管と
を含み、
前記第１方向と前記第３方向とは、互いに実質的に直交し、
前記第１熱交換部は、前記第２熱交換部よりも、前記空気の流れの下流に位置する、請求項２から請求項５のいずれか１項に記載の空気調和機。
【請求項７】
前記扁平管と前記フィンとを前記第１方向から見たときに、前記扁平管の長手方向の幅は、前記フィンの短手方向の幅よりも大きい、請求項６に記載の空気調和機。
【発明の詳細な説明】
【技術分野】
【０００１】
本発明は、空気調和機に関する。
【背景技術】
【０００２】
特許文献１に記載されたルームエアコン用室内機は、熱交換器と、ファンとを備える。熱交換器は、交互に配置されるチューブとフィンとを含む。チューブを流れる冷媒は、ファンの吸入力によって熱交換部と交差して流通する空気と熱交換を行う。
【先行技術文献】
【特許文献】
【０００３】
【特許文献１】特許第２９０１３３８号公報
【発明の概要】
【発明が解決しようとする課題】
【０００４】
しかしながら、特許文献１に記載されたルームエアコン用室内機では、熱交換器は、ファンよりも空気の流れの上流に配置される。従って、熱交換器は、ファンによって吹出口を通して外部に空気を送り出す際に、空気の整流に寄与することができない。一方、ルームエアコン用室内機において外部に空気を送り出す際に、空気の整流を効果的に実現することが要望されている。【０００５】
本発明は上記課題に鑑みてなされたものであり、その目的は、吹出口を通して外部に空気を送り出す際に、空気の整流を効果的に行うことのできる空気調和機を提供することにある。
【課題を解決するための手段】
【０００６】
本発明の一局面によれば、空気調和機は、ファンと、第１熱交換部とを備える。ファンは、空気を吸い込み、吸い込んだ前記空気を、吹出口を通して外部に送り出す。第１熱交換部は、前記ファンよりも、前記空気の流れの下流に位置し、熱交換を行う。前記第１熱交換部は、複数の扁平管と、第１ヘッダ管と、第２ヘッダ管とを含む。複数の扁平管の各々が第１方向に沿って延びており、複数の扁平管が前記第１方向に直交する第２方向に沿って並んでいる。第１ヘッダ管は、前記複数の扁平管の前記第１方向の一端に接続され、前記第１方向に直交する所定方向に沿って延びる。第２ヘッダ管は、前記複数の扁平管の前記第１方向の他端に接続され、前記所定方向に沿って延びる。前記第１熱交換部は、前記吹出口を向いている。
【発明の効果】
【０００７】
本発明によれば、吹出口を通して外部に空気を送り出す際に、空気の整流を効果的に行うことのできる空気調和機を提供できる。
【図面の簡単な説明】
【０００８】
【図１】本発明の実施形態１に係る空気調和機を示す斜視図である。
【図２】実施形態１に係る空気調和機を示す模式的断面図である。
【図３】実施形態１に係る空気調和機の第１熱交換部を示す正面図である。
【図４】実施形態１に係る空気調和機の冷房時の状態を示す模式的断面図である。
【図５】本発明の実施形態２に係る空気調和機を示す模式的断面図である。
【図６】実施形態２に係る空気調和機の第２熱交換部を示す正面図である。
【図７】本発明の実施形態３に係る空気調和機を示す模式的断面図である。
【発明を実施するための形態】
【０００９】
以下、本発明の実施形態について、図面を参照しながら説明する。なお、図中、同一または相当部分については同一の参照符号を付して説明を繰り返さない。また、実施形態において、Ｘ軸及びＹ軸は水平方向に略平行であり、Ｚ軸は鉛直方向に略平行であり、Ｘ軸とＹ軸とＺ軸とは互いに直交する。Ｚ軸の正方向は上方向を示し、Ｚ軸の負方向は下方向を示す。
【００１０】
（実施形態１）
図１〜図４を参照して、本発明の実施形態１に係る空気調和機１００を説明する。まず、図１を参照して、空気調和機１００を説明する。図１は、空気調和機１００を示す斜視図である。空気調和機１００は空気調和を行う。
【００１１】
図１に示すように、空気調和機１００は室内機である。従って、空気調和機１００は室内に設置される。なお、空気調和機１００は、配管によって室外機と接続される。そして、配管を通して、空気調和機１００と室外機との間で冷媒が循環する。室外機は室外に設置される。室外機は、ファンと、圧縮機と、熱交換器と、四方弁のような各種部品とを備える。
【００１２】
空気調和機１００は、筐体１と、パネル３とを備える。パネル３の姿勢が筐体１に対して変更可能なように、パネル３は筐体１に支持される。パネル３は、略板状であり、筐体１に向かって凸状に湾曲している。パネル３は、断面視弓状である。
【００１３】
次に、図２を参照して、空気調和機１００の内部構造を説明する。図２は、空気調和機１００を示す模式的断面図である。図２に示すように、空気調和機１００の筐体１は、吸入口９と、吹出口１１とを有する。吸入口９は、筐体１の下部に位置し、筐体１の下方に向けて開口している。なお、吸入口９は、筐体１の上部に位置して、筐体１の上方に向けて開口していてもよい。また、筐体１は、筐体の下部と上部との双方に吸入口９を有していてもよい。吹出口１１は、吸入口９の向いている方向と異なる方向に向けて開口している。実施形態１では、吹出口１１は、パネル３に向けて開口している。換言すれば、パネル３は、吹出口１１に面するように配置される。
【００１４】
空気調和機１００は、ファン５と、第１熱交換部７とをさらに備える。ファン５及び第１熱交換部７は筐体１に収容される。ファン５は、吸入口９を通して、空気Ａ１を吸い込み、吸い込んだ空気Ａ１を、吹出口１１を通して外部に送り出す。実施形態１では、ファン５は、略円柱状のクロスフローファンである。具体的には、ファン５は、吸い込んだ空気Ａ１を第１熱交換部７に向けて送り出す。そして、第１熱交換部７は、ファン５の送り出した空気Ａ１を整流して、整流後の空気Ａ２を吹出口１１から筐体１の外部に送り出す。実施形態１では、第１熱交換部７は、吹出口１１を通して、空気Ａ２をパネル３に向けて送り出す。
【００１５】
第１熱交換部７は熱交換を行う。具体的には、第１熱交換部７は、空気と冷媒との間で熱エネルギーを交換する。実施形態１では、第１熱交換部７はパラレルフロー型熱交換器である。
【００１６】
次に、図２及び図３を参照して、第１熱交換部７を詳細に説明する。図３は、第１熱交換部７を示す正面図である。図２及び図３に示すように、第１熱交換部７は、複数の扁平管２１と、第１ヘッダ管２３Ｌと、第２ヘッダ管２３Ｒとを含む。複数の扁平管２１の各々は、第１方向Ｄ１に沿って延びており、第２方向Ｄ２に沿って並んでいる。第２方向Ｄ２は第１方向Ｄ１に直交する。
【００１７】
複数の扁平管２１の各々は、複数の冷媒流路２１ａを有する。冷媒は冷媒流路２１ａを流れる。複数の扁平管２１の各々において、複数の冷媒流路２１ａは、扁平管２１の幅方向（以下、「幅方向ＷＤ」と記載する。）に一直線に並んでいる。扁平管２１の幅方向ＷＤは、第１方向Ｄ１と第２方向Ｄ２との双方に直交する方向である。冷媒流路２１ａは、第１方向Ｄ１に沿って延びている。なお、図３は正面図であるため、冷媒流路２１ａは図３には表れていない。
【００１８】
扁平管２１は、一対の主面２１０と、一対の湾曲面２１１とを有する。一対の主面２１０は、冷媒流路２１ａを介して互いに対向し、第２方向Ｄ２に直交する。主面２１０は平坦面である。一対の湾曲面２１１は、冷媒流路２１ａを介して互いに対向する。湾曲面２１１は、扁平管２１の外部に向かって凸状に湾曲している。
【００１９】
第１ヘッダ管２３Ｌと第２ヘッダ管２３Ｒとは、実質的に平行に配置される。第１ヘッダ管２３Ｌは、複数の扁平管２１の第１方向Ｄ１の一端に接続され、所定方向ＰＤに沿って延びる。実施形態１では、所定方向ＰＤは、第１方向Ｄ１に直交し、第２方向Ｄ２と実質的に平行である。第１ヘッダ管２３Ｌは、冷媒流入部２３ａと、冷媒流出部２３ｂと、冷媒流路（不図示）とを有する。冷媒流入部２３ａは、第１ヘッダ管２３Ｌの所定方向ＰＤの一端部に配置される。冷媒流出部２３ｂは、第１ヘッダ管２３Ｌの所定方向ＰＤの他端部に配置される。第１ヘッダ管２３Ｌの冷媒流路は、所定方向ＰＤに沿って延びており、扁平管２１の冷媒流路２１ａの第１方向Ｄ１の一端と接続される。
【００２０】
第２ヘッダ管２３Ｒは、複数の扁平管２１の第１方向Ｄ１の他端に接続され、所定方向ＰＤに沿って延びる。第２ヘッダ管２３Ｒは冷媒流路（不図示）を有する。第２ヘッダ管２３Ｒの冷媒流路は、所定方向ＰＤに沿って延びており、扁平管２１の冷媒流路２１ａの第１方向Ｄ１の他端と接続される。
【００２１】
冷媒流入部２３ａから流入した冷媒は、第１ヘッダ管２３Ｌの冷媒流路、扁平管２１の冷媒流路２１ａ、及び第２ヘッダ管２３Ｒの冷媒流路を流れて、冷媒流出部２３ｂから流出する。
【００２２】
第１熱交換部７は、複数のコルゲートフィン２５をさらに有していてもよい。複数のコルゲートフィン２５の各々は、互いに第２方向Ｄ２に隣り合う扁平管２１の間に配置される。複数のコルゲートフィン２５の各々は、波形に折り曲げられた形状を有する。
【００２３】
図２に示すように、第１熱交換部７は、ファン５と吹出口１１との間に配置される。具体的には、第１熱交換部７は、ファン５よりも、空気の流れの下流に位置する。そして、第１熱交換部７は、吹出口１１を向いている。従って、吹出口１１を通して筐体１の外部に空気を送り出す際に、複数の扁平管２１は、空気を整流することができる。つまり、複数の扁平管２１の各々は空気を整流する羽根として機能し、複数の扁平管２１はルーバーとして機能する。その結果、実施形態１によれば、空気調和機１００は、吹出口１１を通して外部に空気を送り出す際に、空気の整流を効果的に行うことができる。特に、実施形態１では、第１熱交換部７は、吹出口１１を通して、パネルに向いている。
【００２４】
具体的には、複数の扁平管２１の各々の一対の主面２１０が、空気Ａ１を整流して、整流後の空気Ａ２を吹出口１１に向けて送り出す。特に、扁平管２１の一対の湾曲面２１１のうち、空気の流れの上流に位置する湾曲面２１１は、空気の流れの上流に向かって凸状に湾曲している。従って、扁平管２１による流路抵抗を低減しつつ、扁平管２１によって効果的に空気を整流できる。
【００２５】
引き続き図２及び図３を参照して、第１熱交換部７をさらに詳細に説明する。図３に示すように、第１熱交換部７は、サイドフロータイプのパラレルフロー型熱交換器である。従って、扁平管２１の延びる第１方向Ｄ１は水平方向と実質的に平行である。つまり、複数の扁平管２１の各々は水平方向に沿って延びている。従って、実施形態１によれば、複数の扁平管２１によって、垂直方向（具体的には、上下方向）に空気を整流できる。
【００２６】
そして、図２に示すように、第１方向Ｄ１（図３）から扁平管２１を見たときに、扁平管２１は、水平方向ＨＤに対して傾斜している。従って、実施形態１によれば、複数の扁平管２１は、空気Ａ１を整流して、水平方向ＨＤに対して傾斜した方向に空気Ａ２を送り出すことができる。また、空気Ａ２が水平方向ＨＤに送り出されてパネル３に当たる場合と比較して、パネル３による空気Ａ２に対する流路抵抗を低減できる。
【００２７】
実施形態１では、扁平管２１は、水平方向ＨＤに対して下方に向けて吹出口１１側に傾斜している。従って、扁平管２１は、水平方向ＨＤに対して下方に向けて吹出口１１側に傾斜した方向に、空気Ａ２を送り出すことができる。その結果、扁平管２１の傾斜は、暖かい空気を室内に送り出す暖房運転時の空気調和機１００に好適である。さらに、複数の扁平管２１によって整流された空気Ａ２の一部は、パネル３によって、パネル３の下方に向けて送り出される。従って、室内を更に効果的に暖めることができる。
【００２８】
具体的には、扁平管２１は、水平方向ＨＤに対して、傾斜角θａだけ下方に向けて吹出口１１側に傾斜している。傾斜角θａは、４５度よりも小さいことが好ましい。例えば、冷房運転時に、扁平管２１によって凝縮した水滴が落下することを抑制でき、水滴をコルゲートフィン２５に沿って排出し易いためである。また、傾斜角θａは、５度以上１０度以下であることが更に好ましい。例えば、冷房運転時に、扁平管２１によって凝縮した水滴をコルゲートフィン２５に沿って効果的に排出できるからである。また、傾斜角θａが大きすぎると、例えば、冷房運転時に上方に向けて空気を送り出すことが難しくなる可能性があるからである。
【００２９】
ここで、実施形態１では、扁平管２１の幅方向ＷＤと、第１ヘッダ管２３Ｌ及び第２ヘッダ管２３Ｒの延びる方向（具体的には、所定方向ＰＤ）とは、実質的に直交している。従って、第１方向Ｄ１（図３）から第１ヘッダ管２３Ｌ及び第２ヘッダ管２３Ｒを見たときに、第１ヘッダ管２３Ｌ及び第２ヘッダ管２３Ｒは、鉛直方向ＶＤに対して下方に向けて吹出口１１側に傾斜している。具体的には、第１ヘッダ管２３Ｌ及び第２ヘッダ管２３Ｒは、鉛直方向ＶＤに対して、傾斜角θｂだけ下方に向けて吹出口１１側に傾斜している。傾斜角θｂは傾斜角θａと略同一である。
【００３０】
引き続き図２を参照して、パネル３と扁平管２１との関係を説明する。図２に示すように、パネル３は、暖房運転時の姿勢をとっている。つまり、パネル３の上端部が吹出口１１に近い側に位置するとともに、パネル３の下端部が吹出口１１から遠い側に位置するように、パネル３は鉛直方向ＶＤに対して傾斜している。従って、暖房運転時に、パネル３は、第１熱交換部７を通って吹出口１１から送り出された空気Ａ２をパネル３の下方に送り出す。つまり、パネル３は、第１熱交換部７から送り出された空気Ａ２の送風方向を変化させて、送風方向の変化した空気Ａ３をパネル３の下方に送り出す。
【００３１】
そして、暖房運転時に、扁平管２１及びパネル３を第１方向Ｄ１（図３）から見たときに、扁平管２１の鉛直下方向ＤＤに対する傾斜角θ１は、パネル３の鉛直下方向ＤＤに対する傾斜角θ２よりも大きい。従って、第１熱交換部７から送り出された空気Ａ２を効果的にパネル３に当てることができる。その結果、暖房運転時に、パネル３によって、空気をパネル３の下方に効果的に送り出すことができる。傾斜角θ１は、例えば、暖房運転時にパネル３の取り得る最大角度である。なお、傾斜角θ１が傾斜角θ２よりも小さいと、パネル３に当たる空気量が少なくなり、下方に送り出すことの可能な空気量が減少する可能性がある。また、傾斜角θ１が大きいため、扁平管２１による空気Ａ１に対する流路抵抗を低減できる。
【００３２】
また、傾斜角θ２が鋭角であるため、第１熱交換部７から送り出された空気Ａ２を更に効果的にパネル３に当てることができる。その結果、暖房運転時に、パネル３は、空気Ａ３をパネル３の下方に更に効果的に送り出すことができる。
【００３３】
次に、図４を参照して、冷房運転時のパネル３を説明する。図４は、空気調和機１００の冷房時の状態を示す模式的断面図である。図４に示すように、パネル３は、冷房運転時の姿勢をとっている。つまり、パネル３の上端部が吹出口１１から遠い側に位置するとともに、パネル３の下端部が吹出口１１に近い側に位置するように、パネル３は鉛直方向ＶＤに対して傾斜している。従って、冷房運転時に、パネル３は、第１熱交換部７を通って吹出口１１から送り出された空気Ａ２をパネル３の上方に送り出す。つまり、パネル３は、第１熱交換部７から送り出された空気Ａ２の送風方向を変化させて、送風方向の変化した空気Ａ４をパネル３の上方に送り出す。
【００３４】
従って、実施形態１によれば、扁平管２１が水平方向ＨＤに対して下方に向けて吹出口１１側に傾斜しているにも拘わらず、冷房運転時に冷えた空気Ａ４をパネル３の上方に送り出すことができる。つまり、冷房運転時と暖房運転時（図２）との双方において、運転状態に応じた適切な方向に空気を送り出すことができる。
【００３５】
特に、冷房運転時に、パネル３を第１方向Ｄ１（図３）から見たときに、パネル３の鉛直上方向ＵＤに対する傾斜角θ３は、鋭角である。従って、第１熱交換部７から送り出された空気Ａ２を効果的にパネル３に当てることができる。その結果、冷房運転時に、パネル３によって、空気Ａ４をパネル３の上方に効果的に送り出すことができる。
【００３６】
（実施形態２）
図５及び図６を参照して、本発明の実施形態２に係る空気調和機１００Ａを説明する。実施形態２に係る空気調和機１００Ａが第１熱交換部７に加えて第２熱交換部３１をさらに備える点で、実施形態２は実施形態１と主に異なる。以下、実施形態２が実施形態１と異なる点を主に説明する。
【００３７】
図５は、空気調和機１００Ａを示す模式的断面図である。図５に示すように、空気調和機１００Ａは、図２を参照して説明した空気調和機１００の構成に加えて、第２熱交換部３１をさらに備える。第２熱交換部３１は熱交換を行う。具体的には、第２熱交換部３１は、空気と冷媒との間で熱エネルギーを交換する。実施形態２では、第２熱交換部３１はフィンアンドチューブ型熱交換器である。
【００３８】
第２熱交換部３１は筐体１に収容される。第２熱交換部３１は、ファン５と第１熱交換部７との間に配置される。具体的には、第２熱交換部３１は、ファン５よりも、空気の流れの下流に位置する。そして、第１熱交換部７は、第２熱交換部３１よりも、空気の流れの下流に位置する。
【００３９】
ファン５は、吸入口９から吸い込んだ空気Ａ１を、第２熱交換部３１を通して第１熱交換部７に向けて送り出す。従って、空気Ａ１は、第２熱交換部３１を通過して、第１熱交換部７に流入する。そして、第１熱交換部７は、第２熱交換部３１を通過した空気Ａ１を整流して、整流後の空気Ａ２を吹出口１１から筐体１の外部に送り出す。
【００４０】
実施形態２によれば、第１熱交換部７が第２熱交換部３１よりも空気の流れの下流に位置するため、第１熱交換部７が第２熱交換部３１よりも空気の流れの上流に位置する場合と比較して、整流後の空気Ａ２の流れが変化することを抑制しつつ、空気Ａ２を吹出口１１に向けて送り出すことができる。なお、第１熱交換部７が第２熱交換部３１よりも空気の流れの上流に位置する場合は、整流後の空気Ａ２の流れが、第２熱交換部３１によって変化する可能性があり得る。
【００４１】
また、実施形態２によれば、空気調和機１００Ａは２つの熱交換部（第１熱交換部７及び第２熱交換部３１）を備えているため、１つの熱交換部を備える場合と比較して、効果的に熱交換を行うことができる。
【００４２】
次に、図５及び図６を参照して、第２熱交換部３１を詳細に説明する。図６は、第２熱交換部３１を示す正面図である。図５及び図６に示すように、第２熱交換部３１は、管３３と、平板状の複数のフィン３５とを含む。複数のフィン３５の各々は、第３方向Ｄ３に沿って延びており、第４方向Ｄ４に沿って並んでいる。第４方向Ｄ４は、第３方向Ｄ３に直交する。第３方向Ｄ３と第１方向Ｄ１（図３）とは、互いに実質的に直交する。第３方向Ｄ３と第２方向Ｄ２（図３）とは、互いに実質的に平行である。第４方向Ｄ４と第１方向Ｄ１（図３）とは、互いに実質的に平行である。従って、実施形態２では、第４方向Ｄ４は、水平方向と実質的に平行である。フィン３５を第４方向Ｄ４（図６）から見たときに、フィン３５は略矩形状である。
【００４３】
管３３は、複数のフィンを第４方向Ｄ４に貫通し、蛇行している。管３３は、冷媒流路３３ａを有する。冷媒は冷媒流路３３ａを流れる。冷媒流路３３ａは、管３３に沿って蛇行している。管３３は、冷媒流入部３３ｂと、冷媒流出部３３ｃとを有する。冷媒流入部３３ｂから流入した冷媒は、冷媒流路３３ａを流れて、冷媒流出部３３ｃから流出する。実施形態２では、管３３の冷媒流出部３３ｃは、第１熱交換部７の第１ヘッダ管２３Ｌの冷媒流入部２３ａ（図３）に接続される。なお、図６は正面図であるため、冷媒流路３３ａは図６には表れていない。
【００４４】
引き続き図５を参照して、第１熱交換部７及び第２熱交換部３１を説明する。図５に示すように、第１熱交換部７と第２熱交換部３１とは、互いに対向して配置される。第１熱交換部７と第２熱交換部３１とは、互いに実質的に平行になるように近接して配置される。従って、実施形態２によれば、例えば、冷房運転時に、扁平管２１によって凝縮された水滴が、表面張力によってフィン３５に移動するため、水滴をフィン３５によって円滑に排出できる。ここで、第１熱交換部７と第２熱交換部３１との距離、つまり、扁平管２１とフィン３５との距離は、表面張力によって、扁平管２１に付着した水滴がフィン３５に移動し得ることの可能な距離である。また、扁平管２１とフィン３５とが接触していないため、扁平管２１とフィン３５との接触に起因する音の発生を抑制できる。なお、扁平管２１とフィン３５とが接触していてもよい。
【００４５】
また、第１熱交換部７と第２熱交換部３１とが互いに実質的に平行になるように近接して配置されるため、第１熱交換部７と第２熱交換部３１とを筐体１に固定する作業が容易である。さらに、第１熱交換部７と第２熱交換部３１との間に無駄な空間が生じることを抑制できて、空気調和機１００Ａの小型化を実現できる。
【００４６】
さらに、実施形態２では、扁平管２１とフィン３５とを第１方向Ｄ１（図３）から見たときに、扁平管２１の長手方向の幅Ｗ１は、フィン３５の短手方向の幅Ｗ２よりも大きい。従って、幅Ｗ２を小さくして、フィン３５による空気Ａ１に対する流路抵抗を低減しつつ、幅Ｗ１を大きくして、扁平管２１による空気Ａ１に対する整流作用を向上できる。
【００４７】
（実施形態３）
図７を参照して、本発明の実施形態３に係る空気調和機１００Ｂを説明する。実施形態３に係る空気調和機１００Ｂの扁平管２１が第１ヘッダ管２３Ｌ及び第２ヘッダ管２３Ｒに対して傾斜している点で、実施形態３は実施形態１と主に異なる。以下、実施形態３が実施形態１と異なる点を主に説明する。
【００４８】
図７は、空気調和機１００Ｂを示す模式的断面図である。図７に示すように、第１ヘッダ管２３Ｌ及び第２ヘッダ管２３Ｒは、所定方向ＰＤに沿って延びている。実施形態３では、所定方向ＰＤは、第１方向Ｄ１に直交し、鉛直方向ＶＤと実質的に平行である。そして、第１方向Ｄ１（図３）から扁平管２１を見たときに、扁平管２１は、第１ヘッダ管２３Ｌ及び第２ヘッダ管２３Ｒに対して傾斜している。具体的には、実施形態１と同様に、扁平管２１は、水平方向ＨＤに対して傾斜している。更に具体的には、扁平管２１は、水平方向ＨＤに対して下方に向けて吹出口１１側に傾斜している。更に具体的には、扁平管２１は、水平方向ＨＤに対して、傾斜角θａだけ下方に向けて吹出口１１側に傾斜している。
【００４９】
実施形態３によれば、第１ヘッダ管２３Ｌ及び第２ヘッダ管２３Ｒが鉛直方向ＶＤ（所定方向ＰＤ）に沿って延びつつ、扁平管２１だけが傾斜している。従って、第１熱交換部７の筐体１への設置作業を容易にしつつ、扁平管２１によって空気Ａ１を整流できる。
【００５０】
なお、空気調和機１００Ｂは図５に示す第２熱交換部３１を備えていてもよい。この場合、フィン３５が鉛直方向ＶＤに沿って延びるように、第２熱交換部３１が筐体１に設置される。
【００５１】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００５２】
（１）図２、図５、及び図７を参照して説明した実施形態１〜実施形態３において、扁平管２１は、水平方向ＨＤに対して上方に向けて吹出口１１側に傾斜していてもよい。従って、水平方向ＨＤに対して上方に向けて吹出口１１側に傾斜した方向に、空気Ａ２を送り出すことができる。その結果、扁平管２１の傾斜は、冷たい空気を室内に送り出す冷房運転時の空気調和機１００、１００Ａ、１００Ｂに好適である。さらに、図４に示すような冷房運転時の状態では、複数の扁平管２１によって整流された空気Ａ２の一部は、パネル３によって、パネル３の上方に向けて送り出される。従って、室内を更に効果的に冷やすことができる。
【００５３】
具体的には、扁平管２１は、水平方向ＨＤに対して、傾斜角θａだけ上方に向けて吹出口１１側に傾斜していてもよい。傾斜角θａは、４５度よりも小さいことが好ましい。傾斜角θａは、５度以上１０度以下であることが更に好ましい。
【００５４】
（２）図２、図５、及び図７を参照して説明した実施形態１〜実施形態３において、パネル３は、湾曲することなく、平板状であってもよい。また、パネル３は、筐体１から離れる方向に向かって凸状に湾曲していてもよい。
【００５５】
また、扁平管２１を正面視したときに、扁平管２１が水平方向に対して傾斜していてもよい。この場合、扁平管２１に付着した水滴を排出するための排水口が、扁平管２１の傾斜している下方側に配置されることが好ましい。水滴が排水口に向かって流れ易いからである。「正面視」は、図３に示すように、第１方向Ｄ１と第２方向Ｄ２との双方に直交する方向から扁平管２１を見ることを示す。
【００５６】
（３）図２、図５、及び図７を参照して説明した実施形態１〜実施形態３において、第１熱交換部７は、ダウンフロータイプのパラレルフロー型熱交換器であってもよい。この場合は、例えば、複数のコルゲートフィン２５によって、垂直方向（具体的には、上下方向）に空気を整流できる。なお、例えば、複数の扁平管２１によって、水平方向（具体的には、左右方向）に空気を整流することも可能である。
【００５７】
（４）図５を参照して説明した実施形態２において、第１熱交換部７と第２熱交換部３１とは、略平行に配置されていなくてもよい。第２熱交換部３１は、第１熱交換部７と同様のパラレルフロー型熱交換器（例えば、サイドフロータイプのパラレルフロー型熱交換器）であってもよい。第１熱交換部７は、第２熱交換部３１よりも、空気の流れの上流に位置していてもよい。
【産業上の利用可能性】
【００５８】
本発明は、空気調和機を提供するものであり、産業上の利用可能性を有する。
【符号の説明】
【００５９】
３    パネル
５    ファン
７    第１熱交換部
１１    吹出口
２１    扁平管
２３Ｌ    第１ヘッダ管
２３Ｒ    第２ヘッダ管
３１    第２熱交換部
３３    管
３５    フィン
１００、１００Ａ、１００Ｂ    空気調和機
【図１】
2019159402.tif 000003
【図２】
2019159402.tif 000004
【図３】
2019159402.tif 000005
【図４】
2019159402.tif 000006
【図５】
2019159402.tif 000007
【図６】
2019159402.tif 000008
【図７】
2019159402.tif 000009
【国際調査報告】
2019159402.tif 000010
2019159402.tif 000011
2019159402.tif 000012
2019159402.tif 000013